(57)【特許請求の範囲】
【請求項１】
スピーカユニットと該スピーカユニットを収容するハウジングを具備するヘッドホンユニットを備え、
前記ハウジングには、前記スピーカユニットの配線に電気的に接続されるジャックが設けられ、
前記ハウジングは、前記スピーカユニットの放音側とは反対側に、バックチャンバを形成するバックチャンバ形成体を備え、
前記バックチャンバ形成体には、前記バックチャンバと前記ジャックの周囲とを気密に分離する壁部が、放音側に向けて形成されていることを特徴とするヘッドホン。
【請求項２】
スピーカユニットと該スピーカユニットを収容するハウジングを具備する一方のヘッドホンユニットと他方のヘッドホンユニットを備え、
前記一方のヘッドホンユニットと他方のヘッドホンユニットのそれぞれは、前記ハウジングに、前記スピーカユニットの放音側とは反対側に、バックチャンバを形成するバックチャンバ形成体を備え、
前記一方のヘッドホンユニットは、前記ハウジングに、前記スピーカユニットの配線に電気的に接続されるジャックが設けられ、前記バックチャンバ形成体には、前記バックチャンバと前記ジャックの周囲とを気密に分離する壁部が、放音側に向けて形成されており、
前記他方のヘッドホンユニットは、前記ハウジングに前記ジャックが設けられておらず、前記ハウジングには、前記壁部と同形状のダミー壁部が設けられていることを特徴とするヘッドホン。
【請求項３】
前記ジャックの長手方向が前記ハウジングの外周縁に接する方向に配置されていることを特徴とする請求項１又は２記載のヘッドホン。
【請求項４】
前記ハウジングの外周縁の形状が円形であることを特徴とする請求項１〜３のいずれか１項に記載のヘッドホン。
【請求項５】
前記ハウジングには、前記スピーカユニットの放音側に耳当て体が取り付けられていることを特徴とする請求項１〜４のいずれか１項に記載のヘッドホン。
【発明の詳細な説明】
【技術分野】
【０００１】
本発明は、ヘッドホンに関するものである。
【背景技術】
【０００２】
ヘッドホンは、耳穴の外側に閉じた音響空間を形成して、その音響空間内にスピーカユニットなどの発音体から発せされる音を放出する耳当て型の電気音響変換装置であり、外形的にはヘッドバンド形、ネックバンド形、耳掛け形などの各種形態が知られている。ここでいうヘッドホンは、マイク装置が付属しているヘッドセットを含んでいる。
【０００３】
ヘッドホンは、一般に、スピーカユニットと、スピーカユニットを収容するハウジングと、スピーカユニットの放音側を囲むようにハウジングに設けられるパッドを備えている。ここでのスピーカユニットの放音側とは、ヘッドホンを使用者に被着した際に耳穴に対向する側を示している。
【０００４】
このようなヘッドホンは、ハウジングにプラグ接続用のジャックを設けたものが知られている（下記特許文献１参照）。このジャックは、スピーカユニットに対してオーディオ信号や電源を入力するためのインターフェース端子であり、一端側が音声再生装置に接続されるケーブルのプラグや、マイク装置の出力プラグなどが接続される。
【先行技術文献】
【特許文献】
【０００５】
【特許文献１】特表２０１１−５０７４６２号公報
【発明の概要】
【発明が解決しようとする課題】
【０００６】
前述したように、ハウジングにジャックを設けた従来のヘッドホンは、ジャックとスピーカユニットとの電気配線を確保するために、回路基板や配線経路を設ける必要があるため、ジャックの周囲に気密構造を作り難い問題がある。このため、ハウジング内においてスピーカユニットの放音側とは逆側に設けられるバックチャンバに、意図しない空気漏れが生じて、所望の音響特性が得られない問題が生じる。また、コードなどからジャックに伝わるノイズ（タッチノイズなど）がハウジング内の空間を通じてスピーカユニット放音側の音響空間に伝わり易いという問題が生じる。
【０００７】
また、ハウジングにジャックを設けたヘッドホンは、ジャックの長手方向をハウジングの厚さ方向に向けると、ハウジング内の厚さ方向スペースが大きくなってしまい、ヘッドホンユニットを小型化し難い問題が生じる。
【０００８】
これに対して、ジャックの長手方向をハウジングの厚さ方向に対して直交する方向にして、ジャックをハウジングに設置する場合、ジャックの長手方向をハウジングの中心に向けると、ハウジング内に収容されるスピーカユニットの配置にジャックの設置スペースが干渉しやすくなり、スピーカユニットの口径や配置の自由度が低くなる問題が生じる。
【０００９】
本発明は、これらの問題を解決することを課題とするものである。
【課題を解決するための手段】
【００１０】
このような課題を解決するために、本発明のヘッドホンは、スピーカユニットと該スピーカユニットを収容するハウジングを具備するヘッドホンユニットを備え、前記ハウジングには、前記スピーカユニットの配線に電気的に接続されるジャックが設けられ、前記ハウジングは、前記スピーカユニットの放音側とは反対側に、バックチャンバを形成するバックチャンバ形成体を備え、前記バックチャンバ形成体には、前記バックチャンバと前記ジャックの周囲とを気密に分離する壁部が、放音側に向けて形成されている。このような構成を有する本発明のヘッドホンは、ハウジングに壁部を設けることで、ジャックの周囲でバックチャンバに空気漏れが生じることを抑止することができる。
【００１１】
また、本発明のヘッドホンの他の態様は、前記ジャックの長手方向が前記ハウジングの外周縁に接する方向に配置されている。このような構成を備えるヘッドホンは、更に、ジャックがハウジング内のスピーカユニットに干渉しにくくなる。
【００１２】
また、本発明のヘッドホンの他の態様は、前記ハウジングの外周縁の形状が円形である。このような構成を備えるヘッドホンは、更に、円形のハウジング内に円形のスピーカユニットを大きな口径で配置することができる。
【００１３】
また、本発明のヘッドホンの他の態様は、前記ハウジングには、前記スピーカユニットの放音側に耳当て体が取り付けられている。このような構成を備えるヘッドホンは、更に、ハウジング内のスピーカユニットを大きな口径で配置することができる。
【００１４】
また、本発明のヘッドホンの他の態様は、前記ジャックが設けられ、前記ハウジングが前記壁部を備える一方のヘッドホンユニットと、前記ジャックが設けられていない他方のヘッドホンユニットを備え、前記他方のヘッドホンユニットにおけるハウジングは、前記壁部と同形状のダミー壁部を備えている。このような構成を備えるヘッドホンは、更に、一方のヘッドホンユニットにのみジャックを設ける際に、他方のヘッドホンユニットにダミーのジャックを設けること無く、左右のヘッドホンユニットの音響特性を合わせることができる。
【図面の簡単な説明】
【００１５】
【図１】本発明の実施形態に係るヘッドホンの外観構成を示した説明図である。
【図２】本発明の実施形態に係るヘッドホンの内部構成を示した断面斜視図である。
【図３】本発明の実施形態に係るヘッドホン（一方のヘッドホンユニット）におけるハウジングの内部構造を示した説明図である。
【図４】本発明の実施形態に係るヘッドホンの支持蓋体構造を示した説明図である。
【図５】本発明の実施形態に係るヘッドホン（他方のヘッドホンユニット）におけるハウジングの内部構造を示した説明図である。
【発明を実施するための形態】
【００１６】
以下、図面を参照して本発明の実施形態を説明する。以下の説明で、異なる図における同一符号は同一部位を示しており、図毎の重複説明は省略する。
【００１７】
図１及び図２に示すように、本発明の実施形態に係るヘッドホン１は、少なくとも一つのヘッドホンユニット１Ａを備え、ヘッドホンユニット１Ａは、スピーカユニット２と、スピーカユニット２を収容するハウジング３を具備している。ヘッドホンユニット１Ａは、使用者の片側の耳に被着される装置であり、ヘッドホン１は、単体のヘッドホンユニットで構成してもよいし、左右一対のヘッドホンユニットを備えるものであっても良い。ハウジング３には、耳当て用のパッド５が取り付けられる。
【００１８】
ヘッドホンユニット１Ａにおけるハウジング３には、スピーカユニット２の配線に電気的に接続されるジャック４が設けられている。ジャック４は、スピーカユニット２に対してオーディオ信号や電源入力を行うためのインターフェース端子であり、ケーブルＴなどのプラグＴ１が着脱自在に接続される。図１の例では、ヘッドホンユニット１Ａにヘッドバンド６がハンガー部６Ａを介して取り付けられた例を示しているが、本発明の実施形態に係るヘッドホン１は、特にこのようなヘッドバンド形に限定されるものではない。またジャック４は、左右一対のヘッドホンユニットのそれぞれに配置され、両方のヘッドホンユニットにケーブルを接続する構造、もしくはユーザーの好みにより左右いずれかのヘッドホンユニットにケーブルを接続する構造であっても良い。
【００１９】
図２は、ヘッドホンユニット１Ａの内部構造を例示している。ハウジング３の前側に取り付けられるパッド５は、スピーカユニット２の放音側空間を取り囲むように環状に設けられ、パッド５を使用者の耳に当てた状態で、パッド５の内側に閉塞された音響空間を形成する。図示の例では、パッド５は、耳当て体５Ａとパッド連結部５Ｂを備えており、パッド連結部５Ｂとハウジング３の支持蓋体１１とが連結部材５Ｃを介して連結されている。
【００２０】
スピーカユニット２を収容するハウジング３は、バックチャンバ形成体１０、支持蓋体１１、背面外装体１２、側面外装体１３などによって構成される。バックチャンバ形成体１０は、スピーカユニット２の放音側と逆側に、バックチャンバ１０Ｓを形成する。なお、図２では、スピーカユニット２の内部構造及び配線を省略している。
【００２１】
ハウジング３は、バックチャンバ形成体１０とスピーカユニット２を支持する支持蓋体１１とが結合され、スピーカユニット２の放音側とは反対側の内部に、バックチャンバ１０Ｓが形成されている。図示の例では、バックチャンバ１０Ｓの外側に外部連通空気室１０Ｔが区画壁１０Ｕに区画されて形成されており、区画壁１０Ｕには内側ダクト１０Ｐを設け、バックチャンバ形成体１０の外壁には、外部連通空気室１０Ｔと外部とを連通させる外側ダクト１０Ｑを設けている。バックチャンバ１０Ｓは、内側ダクト１０Ｐと外側ダクト１０Ｑを介してヘッドホンユニット１Ａの外部と連通しており、これらの大きさ・配置などの形態によって、ヘッドホンユニット１Ａの音響特性が設定される。
【００２２】
支持蓋体１１には、スピーカユニット２の前方に設けられる放音部１１Ａと、パッド５が取り付けられるパッド支持部１１Ｂと、スピーカユニット２が支持されるスピーカユニット支持部１１Ｃなどが設けられている。パッド５は、放音部１１Ａの周りを囲むように、パッド支持部１１Ｂに取り付けられている。
【００２３】
図３に示すように、ハウジング３には、スピーカユニット２の配線に電気的に接続されるジャック４が設けられ、ハウジング３は、バックチャンバ１０Ｓとジャック４の周囲とを気密に分離する壁部１０Ａを備えている。壁部１０Ａは、バックチャンバ形成体１０と支持蓋体１１とを結合することで、バックチャンバ１０Ｓとジャック４の周囲とを気密に隔離する。壁部１０Ａは、バックチャンバ１０Ｓの外縁を囲む外周縁部１０Ｂと一体になっている。図示の例では、壁部１０Ａの外側に、ジャック４とスピーカユニット２の配線とを接続する接続端子部４Ａを配備している。
【００２４】
また、ハウジング３に設けられるジャック４は、その長手方向がハウジング３の外周縁に接する方向に配置されている。図示の例では、ハウジング３の外周縁の形状が円形であり、その円形外周縁の接線方向に向けてジャック４の長手方向が配置されている。また、ヘッドホンユニット１Ａを使用者が被着した際に、ジャック４のプラグ挿入口４Ｂが斜め下方に向くようになっている。なお、ハウジング３の形状は円形だけでなく、例えば円弧状でもよい。また方形の外形のハウジングの場合でも、その外周縁に接するようにジャック４の長手方向が配置されていても良い。
【００２５】
図４は、バックチャンバ形成体１０にスピーカユニット２を支持する支持蓋体１１を被せた状態を示している。バックチャンバ形成体１０と支持蓋体１１とは、バックチャンバ形成体１０の結合部１０Ｃと支持蓋体１１の結合部１１Ｄとを合わせて、ねじなどの結合具で結合される。
【００２６】
図示の例では、壁部１０Ａがジャック４及びジャック固定部４Ａを囲むように形成されている。ジャック固定部４Ａは、ジャック４を固定する機能を有する。支持蓋体１１の外周近傍には、ジャック固定部４Ａを支持蓋体１１に固定するための結合部１１Ｅを設けている。図示省略しているが、スピーカユニット２からの配線は、支持蓋体１１に形成された穴１５を通してジャック４に接続される。また、穴１５は配線後に接着剤等で封止される。
【００２７】
このようなヘッドホンユニット１Ａを備えるヘッドホン１は、ハウジング３内のバックチャンバ１０Ｓとジャック４との間に壁部１０Ａを設けることで、ジャック４の周囲で、バックチャンバ１０Ｓから意図しない空気漏れが生じることを抑止することができる。これによって、バックチャンバ１０Ｓと外部との間の空気の流れを専用のダクト（内側ダクト１０Ｐと外側ダクト１０Ｑ）だけに制限することができ、ヘッドホン１の音響特性を所望の特性に設定することができる。
【００２８】
また、壁部１０を設けることで、ハウジング３の外周縁の気密性を高めることができるので、ハウジング３内に進入する音の遮音性を高めることができ、ハウジング３の内部を経由してノイズが耳に届くのを抑止することができる。特に、ジャックを備えるヘッドホンは、ケーブルなどを接続することで、ケーブルへの接触によるタッチノイズがハウジング内に進入しやすい構造になっているが、本発明の実施形態のように壁部１０Ａを設けて、ジャック４の周囲とバックチャンバ１０Ｓとを分離することで、タッチノイズを効果的に低減することが可能になる。
【００２９】
本発明の実施形態では、壁部１０Ａの外側に接続端子部４Ａを配備して、バックチャンバ１０Ｓの外側に引き出されたスピーカユニット２の配線を接続端子部４Ａに接続できるようにしている。これによって、スピーカユニット２の配線に伴うバックチャンバ１０Ｓの気密性低下を排除することができる。
【００３０】
また、本発明の実施形態では、ハウジング３に設けられるジャック４の長手方向が、ハウジング３の外周縁に接する方向に配置されているので、ジャック４自体或いはジャック固定部４Ａなどを含むジャック４の周辺空間が、ハウジング３内に収容されるスピーカユニット２の収容空間と干渉するのを避けることができる。これによって、スピーカユニット２の口径や設置位置の設計自由度を高めることができる。
【００３１】
特に、ハウジングの外周縁の形状が円形の場合には、ジャックの長手方向をハウジングの中心に向けると外径形状が円形のスピーカユニットの配置スペースに大きく影響することになる。本発明の実施形態のようにジャック４の長手方向を円形のハウジング３の外周縁接線方向に向けることで、効果的にスピーカユニット２の配置スペースを確保することができる。またハウジングの外周縁の形状が円形でなくても、例えば円弧状、方形状であっても、同様にジャック４の長手方向をハウジングの外周縁に接するように配置することで、同様の効果を得ることができる。
【００３２】
さらに、耳当て体５Ａを直接耳介に当てて使用する耳あて型（on-ear-type）の場合、すなわち耳当て体５Ａの前側がヘッドホン使用者の耳介に当接する場合、通常耳当て型のハウジングの大きさは、耳介と同等、もしくはそれよりも小さいため、壁部１０Ａを有するジャック４を設ける場合、スピーカユニット２との配置スペースが不足し、設計自由度が低下してしまう。このような場合でも、ジャック４の長手方向を円形のハウジング３の外周縁接線方向に向けることで、効果的にスピーカユニット２の配置スペースを確保することができる。耳当て型のハウジングの形状が円形に限定されないことは言うまでもない。もちろん、耳当て体５Ａが使用者の耳介を覆う構造であっても本発明は有効である。
【００３３】
次に、本発明の実施形態に係るヘッドホン１が左右一対のヘッドホンユニットを備える場合について説明する。この場合、左右の両方が前述したヘッドホンユニット１Ａのようにジャック４を備える場合には、左右対称のヘッドホンユニット１Ａを備えることで、左右の音質を同等にすることができる。
【００３４】
これに対して、左右一対のヘッドホンユニットの一方のみにジャックを設けた場合には、ジャックの有無に拘わらず、ハウジング内のバックチャンバの形状を左右対称にすることで、左右の音質を同等にすることができる。この際、ジャックを設けないヘッドホンユニットのバックチャンバ形状を、ジャックを設けたヘッドホンユニットのバックチャンバ形状と一致させるために、ダミーのジャックを設けようとすると、複雑なジャック形状の模擬を樹脂成形などで行うことは困難で有り、コスト高になる問題がある。またジャックを設ける側のヘッドホンユニットと同等のジャックを配置すれば、空気室形状と材質を左右で同等にすることができるが、コスト高の要因になる。
【００３５】
図５は、前述の問題を解決したものであり、ヘッドホン１が左右一対のヘッドホンユニットを備える場合に、一方のヘッドホンユニットのみにジャックを設けて、他方のヘッドホンユニットにはジャックを設けない場合のハウジング内部構造を例示している。
【００３６】
ここでは、図３に示したヘッドホンユニット１Ａにおけるハウジング３の構造を左右一方の構造とした場合に、左右他方のヘッドホンユニット１Ｂにおけるハウジング３０の内部構造を示している。ここに示すヘッドホンユニット１Ｂは、ハウジング３０にジャックを設けていないが、このハウジング３０におけるバックチャンバ形成体３１には、前述した壁部１０Ａと同形状のダミー壁部３１Ａを設けている。また、バックチャンバ形成体３１は、ヘッドホンユニット１Ａにおけるバックチャンバ形成体１０と同形状の外周縁部３１Ｂや結合部３１Ｃ、外側ダクト３１Ｑ、区画壁３１Ｕなどを設けている。これによって、バックチャンバ形成体３１内に形成されるバックチャンバ３１Ｓの形状が、ヘッドホンユニット１Ａにおけるバックチャンバ形成体１０内のバックチャンバ１０Ｓの形状と同形状になり、ダミーのジャックを設けること無く、左右のヘッドホンユニットの音質を同等にすることができる。
【００３７】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００３８】
１：ヘッドホン，１Ａ，１Ｂ：ヘッドホンユニット，
２：スピーカユニット，３，３０：ハウジング，
４：ジャック，４Ａ：ジャック固定部，４Ｂ：プラグ挿入口，
５：パッド，５Ａ：耳当て体，５Ｂ：パッド連結部，５Ｃ：連結部材，
６：ヘッドバンド，６Ａ：ハンガー部，
１０，３１：バックチャンバ形成体，１０Ｓ，３１Ｓ：バックチャンバ，
１０Ｔ：外部連通空気室，１０Ｕ，３１Ｕ：区画壁，
１０Ｐ：内側ダクト，１０Ｑ，３１Ｕ：外側ダクト，
１０Ａ：壁部，１０Ｂ，３１Ｂ：外周縁部，１０Ｃ，３１Ｃ：結合部，
３１Ａ：ダミー壁部，１１：支持蓋体，１１Ａ：放音部，
１１Ｂ：パッド支持部，１１Ｃ：スピーカユニット支持部，１１Ｄ：結合部，
１１Ｅ：結合部，１２：背面外装体，１３：側面外装体，
Ｔ：ケーブル，Ｔ１：プラグ
【図１】
0006332239.tif 000002
【図２】
0006332239.tif 000003
【図３】
0006332239.tif 000004
【図４】
0006332239.tif 000005
【図５】
0006332239.tif 000006